(57)【要約】【課題】ピックアップを記録媒体の情報記録面の径方向に移動させるピックアップ移動機構に負荷をかけないピックアップのスキュー調整機構を提供する。【解決手段】ピックアップ移動機構１０は、ピックアップ１５を移動可能に保持し、互いに平行に配置された送りねじ１１およびガイドシャフト１２と、記録媒体３０に沿ってピックアップ１５を移動させるために送りねじ１１に駆動力を付与する駆動モータ２２とを備える。ピックアップ１５の傾きを調整するピックアップのスキュー調整機構１６は、送りねじ１１およびガイドシャフト１２の各々を移動調整することによりピックアップ１５の傾きを調整する。【選択図】　図１
2004071018.tif 000002
【特許請求の範囲】
【請求項１】
記録媒体の情報記録面に光を照射して該情報記録面に記録された情報を読み取るピックアップと、前記ピックアップを移動可能に保持しそれぞれが互いに平行に配置された送りねじおよびガイドシャフトと、前記情報記録面に平行でかつその径方同に沿って前記ピックアップを移動させるために前記送りねじに駆動力を付与する駆動モータとを備えたピックアップ移動機構において、
前記情報記録面に対する前記ピックアップの傾きを調整するピックアップのスキュー調整機構であって、
前記送りねじおよび前記ガイドシャフトの各々を移動可能とし、前記送りねじおよび前記ガイドシャフトの各々を移動調整することにより前記ピックアップの傾きを調整することを特徴とするピックアップのスキュー調整機構。
【請求項２】
前記ピッアップ移動機構は、前記送りねじおよび前記ガイドシャフトをそれぞれ１つずつ備え、
それら送りねじとガイドシャフトの各々を移動調整することにより前記ピックアップの傾きを調整することを特徴とする請求項１に記載のピックアップのスキュー調整機構。
【請求項３】
前記ピックアップ移動機構は、前記送りねじおよび前記ガイドシャフトをそれぞれピックアップの下側に配置し、
それら送りねじとガイドシャフトの各々を移動調整することにより前記ピックアップの傾きを調整することを特徴とする請求項１に記載のピックアップのスキュー調整機構。
【発明の詳細な説明】
【０００１】
【発明の属する技術分野】
本発明は、記録媒体の情報記録面に記録された情報を読み取るとともにその情報記録面に平行でかつその径方向に沿って移動可能とされるピックアップの前記情報記録面に対する傾きを調整するピックアップのスキュー調整機構に関する。
【０００２】
【従来の技術】
図１０に示すように、従来のピックアップ移動機構１００は、送りねじ１０１と一対のガイドシャフト１０２をそれぞれ互いに平行に配置し、これら送りねじ１０１とガイドシャフト１０２にピックアップ１０３を移動可能に設ける
また、この送りねじ１０１の端部には駆動モータ１０４が配されており、その駆動モータ１０４からの駆動力により送りねじ１０１が正負方向に回転される。
そして、その送りねじ１０１の回転によりピックアップ１０３が一対のガイドシャフト１０２に沿って移動される。
【０００３】
なお、図１１に示すように、この送りねじ１０１（図１０参照）と一対のガイドシャフト１０２は、スピンドルモータ１０５の回転軸１０５ａに配されたターンテーブル１０６とクランパ１０８により所定位置に装着された記録媒体１０７の情報記録面に対向するようにして配されており、それら送りねじ１０１と一対のガイドシャフト１０２は、その情報記録面の径方向に沿って延在している。
よって、図１０に示す駆動モータ１０４の駆動力によりピックアップ１０３は、記録媒体１０７の情報記録面の径方向に沿って移動されることになる。
【０００４】
一方、ピックアップ１０３は、図示せぬ発光素子（レーザダイオード）と記録媒体１０７の情報記録面に対向するようにして配された対物レンズ１０３ａを備えている。その発光素子から発射されるレーザ光が対物レンズ１０３ａ（図１２参照）で集光され情報記録面に照射される。
そして、情報記録面から反射された反射光（戻り光）が対物レンズ１０３ａを介して図示せぬ受光部にて受光されることによりその情報記録面に記録された情報が読み取られる。
【０００５】
つまり、ピックアップ移動機構１００により情報記録面における所定の位置に位置付けられたピックアップ１０３は、その対物レンズ１０３ａを介して情報記録面に照射されるレーザ光により情報記録面に記録された情報を読み取る。
【０００６】
なお、このレーザ光により情報記録面に記録された情報を正確に読み取るためには、図１２に示すように、対物レンズ１０３ａの光軸Ｌと情報記録面とのなす角度αの調整が必要になる。
つまり、情報記録面からの反射光をピックアップ１０３の受光部にて正確に受光させるためには、情報記録面からの反射光の光量を減少させることなく受光部に導く必要があり、そのためには情報記録面に対するピックアップ１０３（対物レンズ１０３ａ）の傾き調整が要求される。
【０００７】
特にＤＶＤ（Ｄｉｇｉｔａｌ　Ｖｅｒｓａｔｉｌｅ　Ｄｉｓｃ）等の高密度光学式記録媒体においては、記録ピットが密集されているためピックアップ１０３の傾き調整の精度が要求されている。
【０００８】
上述した従来のピックアップ移動機構１００におけるピックアップ１０３の傾き調整は、図１０に示す一対のガイドシャフト１０２を移動調整することにより行われていた。
つまり、対物レンズ１０３ａの光軸Ｌのラジアル方向（図１０の矢印Ａで示す方向）に調整する場合には、一対のガイドシャフト１０２の両方を同時に移動調整することにより行われ、また、対物レンズ１０３ａの光軸Ｌのタンジェンシャル方向（図１０の矢印Ｂで示す方向）に調整する場合には、一対のガイドシャフト１０２を各々独立して移動調整することにより行われていた。
【０００９】
【発明が解決しようとする課題】
しかし、従来のピックアップ１０３の傾き調整は一対のガイドシャフト１０２のみを移動調整して行うものであり、送りねじ１０１は、例えばシャーシ等の固定部材に固定されたままの状態で移動されない。
【００１０】
このため、ピックアップ１０３の傾き調整後（一対のガイドシャフト１０２の移動調整後）ではその送りねじ１０１と一対のガイドシャフト１０２との平行状態に微妙なズレが生じ、ピックアップ１０３を情報記録面の径方向に移動させる際には送りねじ１０１や駆動モータ１０４等に余分な負荷をかける虞がある。
【００１１】
本発明は、ピックアップの傾き調整後に、そのピックアップを記録媒体の情報記録面の径方向に移動させるピックアップ移動機構に負荷をかけないことを一つの課題とし、少なくともその一つの課題を解決したピックアップのスキュー調整機構を提供することにある。
【００１２】
【課題を解決するための手段】
前述した目的を達成するために、本発明は、請求項１に記載したように、記録媒体の情報記録面に光を照射して該情報記録面に記録された情報を読み取るピックアップと、前記ピックアップを移動可能に保持しそれぞれが互いに平行に配置された送りねじおよびガイドシャフトと、前記情報記録面に平行でかつその径方同に沿って前記ピックアップを移動させるために前記送りねじに駆動力を付与する駆動モータとを備えたピックアップ移動機構において、前記情報記録面に対する前記ピックアップの傾きを調整するピックアップのスキュー調整機構であって、前記送りねじおよび前記ガイドシャフトの各々を移動可能とし、前記送りねじおよび前記ガイドシャフトの各々を移動調整することにより前記ピックアップの傾きを調整することを特徴とする。
【００１３】
このように構成されたピックアップのスキュー調整機構においては、送りねじとガイドシャフトをともに移動可能とし、それらを移動調整することによりピックアップの傾き調整を可能としている。
よって、ピックアップの傾きを調整した後、送りねじとガイドシャフトとの平行状態に微妙なズレを生じさせることがない。
したがって、送りねじや駆動モータ等に余計な負荷をかけることを防止できる。
【００１４】
さらに、送りねじの移動調整の際に駆動モータも移動させることで、送りねじ１１の被駆動ギアと駆動モータの回転軸に設けられた駆動ギアとの位置ズレを引き起こすことを防止できる。
【００１５】
また、本発明においては、請求項２に記載したように、前記ピッアップ移動機構は、前記送りねじおよび前記ガイドシャフトをそれぞれ１つずつ備え、それら送りねじとガイドシャフトの各々を移動調整することにより前記ピックアップの傾きを調整することを特徴とする。
【００１６】
ピックアップ移動機構における送りねじとガイドシャフトを各々１つずつにしているため、部品点数の削減が図れる。
【００１７】
また、本発明においては、請求項３に記載したように、前記ピックアップ移動機構は、前記送りねじおよび前記ガイドシャフトをそれぞれピックアップの下側に配置し、それら送りねじとガイドシャフトの各々を移動調整することにより前記ピックアップの傾きを調整することを特徴とする。
【００１８】
ピックアップ移動機構における送りねじとガイドシャフトをピックアップの下側に配置しているため小型化が図れる。
【００１９】
【発明の実施の形態】
以下、本発明の実施の形態を図１乃至図８に基づいて詳細に説明する。まず、図１及び図２を用いて本実施の形態におけるピックアップ移動機構について説明する。
図１に示すように、ピックアップ移動機構１０は、記録媒体３０（図２参照）の情報記録面に記録された情報を読み取るピックアップ１５と、そのピックアップ１５を記録媒体３０の情報記録面に平行で且つその径方向に沿って移動させる送りねじ１１、ガイドシャフト１２及び駆動モータ２２とを備えている。
【００２０】
ピックアップ１５にはその内部に図示せぬ発光素子（レーサダイオード）を備えており、その発光素子から発射されるレーザ光を集光して情報記録面に照射させる対物レンズ１５Ａがピックアップ１５の上面から情報記録面と対面するようにして露出されている。
【００２１】
ピックアップ１５の内部には、情報記録面から反射された反射光（戻り光）を受光して光電変換する受光部が備えられている。また、ピックアップ１５の下面には、ガイドシャフト１２を支持する略Ｌ字状のガイド支持部１４がその下面から突出するようにして所定間隔空けて２つ設けられている。
【００２２】
また、ピックアップ１５の下面におけるガイド支持部１４と反対側には、図２に示すように送りねじ１１を挿通する挿通孔を有する送りねじ支持部１３がその下面から突出するようにして所定間隔空けて２つ設けられている。
ピックアップ１５の下面における２つの送りねじ支持部１３の間には、送りねじ１１に形成されたねじ部と噛合するラック１５Ｂ（図２参照）が形成されている。
【００２３】
ピックアップ１５は、これらガイド支持部１４，１４と送りねじ支持部１３，１３により送りねじ１１とガイドシャフト１２に４点支持されている。
また、送りねじ１１の端部近傍には、駆動モータ２２が配されており、その駆動モータ２２の回転軸には駆動ギア２１が取り付けられている。また、その駆動ギア２１は、送りねじ１１の端部に形成された被駆動ギア部１９に噛合している。
【００２４】
なお、ガイドシャフト１２と送りねじ１１とは互いに平行となるように配されており、また、図２に示すようにそれらガイドシャフト１２と送りねじ１１とは、スピンドルモータ１３の回転軸に取り付けられたターンテーブル１３ａとクランパ１３ｂとにより所定位置に装着された記録媒体３０の情報記録面の径方向に沿って延在している。
また、それらガイドシャフト１２と送りねじ１１とは、その情報記録面に対向するようにして配されている。
【００２５】
このように構成されたピックアップ移動機構１０は、駆動モータ２２からの駆動力が駆動ギア２１を介して送りねじ１１の被駆動ギア部１９に伝達されることによりピックアップを移動させる。
つまり、駆動モータ２２からの駆動力を受けた送りねじ１１は、正方向及び負方向に回転駆動され、その回転駆動によりピックアップ１５がガイドシャフト１２に沿って、すなわち記録媒体３０の情報記録面に沿って移動される。
【００２６】
次に上述したピックアップ移動機構１０におけるピックアップ１５の傾きを調整するスキュー調整機構１６について図２乃至図５を用いて説明する。スキュー調整機構１６は、送りねじ１１における記録媒体３０の情報記録面の内周側に位置する端部１１Ａ（以下、単に「一端」として説明する）を支持する支持部材１７と、送りねじ１１における記録媒体３０の情報記録面の外周側に位置する端部１１Ｂ（以下、単に「他端」として説明する）を支持する支持部材１８と、ガイドシャフト１２における記録媒体３０の情報記録面の内周側に位置する端部１２Ａ（以下、ガイドシャフト一端と称して説明する）を支持する弾性支持部３８と、ガイドシャフト１２における記録媒体３０の情報記録面の外周側に位置する端部１２Ｂ（以下、ガイドシャフト他端と称して説明する）を支持する弾性支持部３９と、支持部材１８と駆動モータ２２を支持する弾性支持部２５とを備えている。
【００２７】
また、スキュー調整機構１６は、ガイドシャフト１２と送りねじ１１の各々を移動調整する第１調整ねじ２６、第２調整ねじ３５及び第３調整ねじ３６を備えている。
【００２８】
支持部材１７は、シャーシ等の基板２７から立設されており、その上方に形成された図示せぬ係合凹部に送りねじ１１の一端１１Ａが回動可能に係合されている。支持部材１８は、弾性支持部２５に取り付けられており、その下方に形成された図示せぬ係合凹部に送りねじ１１の他端１１Ｂが回動可能に係合されている。
【００２９】
弾性支持部３８は、略Ｓ字状に形成された板バネ等の弾性部材で構成され、その下端部が基板２７に取り付けられ、その上端部がガイドシャフト一端１２Ａの上側に接触してそのガイドシャフト一端１２Ａを下方向に付勢している。
弾性支持部３９は、略Ｓ字状に形成された板バネ等の弾性部材で構成され、その下端部が基板２７に取り付けられ、その上端部がガイドシャフト他端１２Ｂの上側に接触してそのガイドシャフト他端１２Ｂを下方向に付勢している。
【００３０】
これら弾性支持部３８と弾性部材３９とによりガイドシャフト１２の両端には均等の付勢力が下方向にかけられており、第２調整ねじ３５と第３調整ねじ３６による移動調整がなされない場合には、それら均等の付勢力によりガイドシャフト１２は基板２７に対して平行状態に保持される。
【００３１】
弾性支持部２５は、図３に示すように略Ｌ字状に形成された板バネ等の弾性部材で構成されている。弾性支持部２５は、基板２７に平行に配置される平板部２５Ａと、その平板部２５Ａの端部から立設する立設部２５Ｂとからなる。
立設部２５Ｂにおける平板部２５Ａ側の側面には、駆動モータ２２がビス（図示せず）等により固定されており、その側面に形成された貫通孔２５Ｃから駆動モータ２２の回転軸が挿通されている。
【００３２】
また、立設部２５Ｂの側端部には、平板部２５Ａが延在する方向とは逆方向に延在する略コ字状の取付部２４が形成されており、その取付部２４には支持部材１８がビス２３等により取り付けられている。
平板部２５Ａは、基板２７上に平行に配置されるとともに、立設部２５Ｂと反対側の端部近傍がビス２３Ａ（図５参照）等により基板２７に取り付けられている。
また、平板部２５Ａの下面における立設部２５Ｂ寄りには、第１調整ねじ２６の上端が当接されている。
【００３３】
第１調整ねじ２６は、基板２７にねじ結合されている。また、その第１調整ねじ２６の上端には弾性支持部２５が当接しており、その第１調整ねじ２６が治具により上方向に移動されることにより弾性支持部２５の平板部２５Ａが基板２７との結合点を支点として弾性変形され（図５参照）、弾性支持部２５に支持されている支持部材１８が上方に移動される。
【００３４】
この弾性支持部２５は、第１調整ねじ２６を下方向に付勢しており、その第１調整ねじ２６の上方への移動により弾性支持部２５の平板部２５Ａに対しその付勢力に抗した力が加えられ弾性変形される。
そして、支持部材１８が第１調整ねじ２６により弾性支持部２５を介して移動されることにより、その支持部材１８に支持されている送りねじ１１の他端１１Ｂが上下方向に移動調整される。
【００３５】
図４に示すように、第２調整ねじ３５は、基板２７にねじ結合されている。また、第２調整ねじ３５の上端は、ガイドシャフト１２のガイドシャフト一端１２Ａ近傍の下側に当接している、その第２調整ねじ３５が治具により上下方向に移動されることにより、ガイドシャフト１２のガイドシャフト一端１２Ａが上下方向に移動調整される。
【００３６】
第３調整ねじ３６は、基板２７にねじ結合されている。また、第３調整ねじ３６の上端は、ガイドシャフト１２のガイドシャフト他端１２Ｂ近傍の下側に当接している。その第３調整ねじ３６が治具により上下方向に移動されることにより、ガイドシャフト１２のガイドシャフト他端１２Ｂが上下方向に移動調整される。
【００３７】
なお、これら第１調整ねじ２６、第２調整ねじ３５及び第３調整ねじ３６の各々が所定の高さにあるとき、送りねじ１１とガイドシャフト１２に移動可能に取り付けられたピックアップ１５は水平状態になっている。
この所定の高さは、製品の設計等により適宜最適な高さに設定される。本実施の形態においては、基板２７から送りねじ１１、ガイドシャフト１２までの高さが１ｍｍに設定される。
【００３８】
これは、支持部材１７に形成される係合凹部の位置により設定されることになる。すなわち、第１調整ねじ２６、第２調整ねじ３５及び第３調整ねじの各々がその設定された高さに適合する高さにあるときにピックアップ１５が水平状態になる。
【００３９】
なお、図２、図４及び図５は、水平状態にあるピックアップ１５を示している。同図から分かるように、第１調整ねじ２６、第２調整ねじ３５及び第３調整ねじ３６の各々は基板２７から所定の高さに位置付けた状態にある。
【００４０】
これら第１調整ねじ２６、第２調整ねじ３５及び第３調整ねじ３６によりピックアップ１５の傾きが調整される。なお、第１調整ねじ２６と第３調整ねじ３６により対物レンズ１５Ａの光軸Ｌのラジアル方向への調整が行われ、第２調整ねじ３５と第３調整ねじ３６により対物レンズ１５Ａの光軸Ｌ（図２参照）のタンジェンシャル方向への調整が行われる。
【００４１】
次に図６乃至図８を用いてスキュー調整機構１６の作用について説明する。まず、第１調整ねじ２６と第３調整ねじ３６による対物レンズ１５Ａの光軸Ｌのラジアル方向への調整について説明する。
【００４２】
第１調整ねじ２６と第３調整ねじ３６を所定の高さに位置付けた状態、すなわち、図４及び図５に示すピックアップ１５を水平状態にする高さに位置付けた状態から、第１調整ねじ２６と第３調整ねじ３６の各々を治具を用いて時計回り方向に回転させることにより、図６Ａおよび図７Ａに示すように第１調整ねじ２６と第３調整ねじ３６を基板２７に対して上昇させる。
すると、送りねじ１１とガイドシャフト１２とは、各々支持部材１７の係合凹部と第２調整ねじ３５の当接点を支点として任意の上り勾配に傾斜させることができる。
【００４３】
このとき、第１調整ねじ２６と第３調整ねじ３６を同期を取りながら上昇させる必要がある。例えば、支持部材１７と第２調整ねじ３５とがピックアップ１５の移動方向に対して垂直な方向に平行配置させ、かつ第１調整ねじ２６と第３調整ねじ３６とがピックアップ１５の移動方向に対して垂直な方向に並行配置させる。そして、第１調整ねじ２６の径およびねじピッチを第３調整ねじ３６の径およびねじピッチと同等にして第１調整ねじ２６を時計回り方向に１回転させたら、第３調整ねじ３６を時計回り方向に１回転させるように交互に１回転ずつ回転動作させる。そうすれば、各々同じ高さずつ上昇させることができる。
【００４４】
よって、送りねじ１１とガイドシャフト１２とは、常に同じ角度ずつ傾斜されピックアップ１５の傾きが安定した状態で調整されることになる。なお、第１調整ねじ２６と第３調整ねじ３６とは各々弾性支持部２５と弾性支持部３９により下方向に付勢されているため、第１調整ねじ２６と第３調整ねじ３６を上昇させる際にはその付勢力がトリガーとなってそれら調整ねじが上昇されすぎることを防止できる。
【００４５】
一方、第１調整ねじ２６と第３調整ねじ３６を所定の高さに位置付けた状態、すなわち、図２、図４及び図５に示すピックアップ１５を水平状態にする高さに位置付けた状態から、第１調整ねじ２６と第３調整ねじ３６の各々を治具を用いて反時計回り方向に回転させることにより、図６Ｂおよび図７Ｂに示すように第１調整ねじ２６と第３調整ねじ３６を基板２７に対して下降させる。
【００４６】
すると、送りねじ１１とガイドシャフト１２とは、各々支持部材１７の係合凹部と第２調整ねじ３５の当接点を支点として任意の下り勾配に傾斜させることができる。このとき、第１調整ねじ２６と第３調整ねじ３６を同期を取りながら下降させる必要がある。
【００４７】
その場合も上述した上昇させるときと同様に、例えば、第１調整ねじ２６の径およびねじピッチを第３調整ねじ３６の径およびねじピッチと同等にして第１調整ねじ２６を反時計回り方向に１回転させたら、第３調整ねじ３６を反時計回り方向に１回転させるように交互に１回転ずつ回転動作させる。
そうすれば、各々同じ高さずつ下降させることができる。よって、送りねじ１１とガイドシャフト１２とは、常に同じ角度ずつ傾斜されピックアップ１５の傾きが安定した状態で調整されることになる。
【００４８】
このようにして、対物レンズ１５Ａの光軸Ｌのラジアル方向への傾きが送りねじ１１とガイドシャフト１２を移動調整することにより調整され、そして、その光軸Ｌと情報記録面とのなす角度が調整される。
【００４９】
次に、第２調整ねじ３５と第３調整ねじ３６による対物レンズ１５Ａの光軸Ｌのタンジェンシャル方向への調整について説明する。
第２調整ねじ３５と第３調整ねじ３６を所定の高さに位置付けた状態、すなわち、図２、図４及び図５に示すピックアップ１５を水平状態にする高さに位置付けた状態から、第２調整ねじ３５と第３調整ねじ３６の各々を治具を用いて時計回り方向に回転させることにより、図８Ａと図９Ａに示すように第２調整ねじ３５と第３調整ねじ３６を基板２７に対して上昇させる。
【００５０】
すると、ガイドシャフト１２は、送りねじ１１を支軸として任意の高さに上昇させることができる。このとき、第２調整ねじ３５と第３調整ねじ３６を同期を取りながら上昇させる必要がある。
例えば、第２調整ねじ３５の径およびねじピッチを第３調整ねじ３６の径およびねじピッチと同等にして第２調整ねじ３５を時計回り方向に１回転させたら、第３調整ねじ３６を時計回り方向に１回転させるように交互に１回転ずつ回転動作させる。
【００５１】
そうすれば、各々同じ高さずつ上昇させることができる。よって、送りねじ１１との平行状態を保ちながらガイドシャフト１２が上昇されピックアップ１５の傾きが安定した状態で調整されることになる。
なお、第２調整ねじ３５と第３調整ねじ３６とは各々弾性支持部３８と弾性支持部３９により下方向に付勢されているため、第２調整ねじ３５と第３調整ねじ３６を上昇させる際にはその付勢力がトリガーとなってそれら調整ねじが上昇されすぎることを防止できる。
【００５２】
一方、第２調整ねじ３５と第３調整ねじ３６を所定の高さに位置付けた状態、すなわち、図２、図４及び図５に示すピックアップ１５を水平状態にする高さに位置付けた状態から、第２調整ねじ３５と第３調整ねじ３６の各々を治具を用いて反時計回り方向に回転させることにより、図８Ｂと図９Ｂに示すように第２調整ねじ３５と第３調整ねじ３６を基板２７に対して下降させる。
【００５３】
すると、ガイドシャフト１２は、送りねじ１１を支軸として任意の高さに下降させることができる。このとき、第２調整ねじ３５と第３調整ねじ３６を同期を取りながら下降させる必要がある。
その場合も上述した上昇させるときと同様に、例えば、第２調整ねじ３５の径およびねじピッチを第３調整ねじ３６の径およびねじピッチと同等にして第２調整ねじ３５を反時計回り方向に１回転させたら、第３調整ねじ３６を反時計回り方向に１回転させるように交互に１回転ずつ回転動作させる。
【００５４】
そうすれば、各々同じ高さずつ下降させることができる。よって、送りねじ１１との平行状態を保ちながらガイドシャフト１２が下降されピックアップ１５の傾きが安定した状態で調整されることになる。
【００５５】
このようにして、対物レンズ１５Ａの光軸Ｌのタンジェンシャル方向への傾きがガイドシャフト１２を移動調整することにより調整され、そして、その光軸Ｌと情報記録面とのなす角度が調整される。
【００５６】
以上、詳述したように、本実施の形態におけるピックアップのスキュー調整機構１６では、送りねじ１１とガイドシャフト１２をともに移動可能とし、それらを移動調整することによりピックアップ１５の傾き調整を可能としている。
従って、ピックアップ１５の傾きを調整した後、送りねじ１１とガイドシャフト１２との平行状態に微妙なズレを生じさせることがない。
【００５７】
よって、送りねじ１１や駆動モータ２２等に余計な負荷をかけることなく、ピックアップの傾き調整後も安定したピックアップ１５の移動が可能となる。また、送りねじ１１の移動調整の際に駆動モータ２２も移動させているため、送りねじ１１の被駆動ギア１９と駆動モータ２２の回転軸に設けられた駆動ギア２１との位置ズレを引き起こすことなく、適正な配置関係のまま調整することができる。
【００５８】
また、ピックアップ移動機構１０における送りねじ１１とガイドシャフト１２を各々１つずつにしているため、部品点数の削減が図れるとともに、それらの移動調整が容易に行える。
また、ピックアップ移動機構１０における送りねじ１１とガイドシャフト１２をピックアップ１５の下側に配置しているため小型化が図れるとともに、それらの移動調整が容易に行える。
【００５９】
なお、前記実施形態では、ピックアップのスキュー調整機構１６を例えばＤＶＤ等の記録媒体の再生装置に適用した例について説明したが、これに限らないで、例えばＣＤの再生装置に適用することも可能である。
【００６０】
さらに、本発明は、前述した実施形態に限定されるものでなく、適宜な変形，改良等が可能であり、前述した実施形態において例示した送りねじ，ガイドシャフト，ピックアップおよび記録媒体等の材質，形状，寸法，形態，数，配置個所，厚さ寸法等は本発明を達成できるものであれば任意であり、限定されない。
【００６１】
【発明の効果】
以上、説明したように、本発明によれば、請求項１に記載したように、送りねじとガイドシャフトをともに移動可能とし、それらを移動調整することによりピックアップの傾き調整を可能としている。
【００６２】
よって、ピックアップの傾きを調整した後、送りねじとガイドシャフトとの平行状態に微妙なズレを生じさせることがない。
したがって、送りねじや駆動モータ等に余計な負荷をかけることなく、ピックアップの傾き調整後も安定したピックアップの移動が可能となる。
【００６３】
さらに、送りねじの移動調整の際に駆動モータも移動させることで、送りねじ１１の被駆動ギアと駆動モータの回転軸に設けられた駆動ギアとの位置ズレを引き起こすことなく、適正な配置関係のまま調整することができる。
【００６４】
また、請求項２に記載したように、ピックアップ移動機構における送りねじとガイドシャフトを各々１つずつにしているため、部品点数の削減が図れるとともに、それらの移動調整が容易に行える。
【００６５】
また、請求項３に記載したように、ピックアップ移動機構における送りねじとガイドシャフトをピックアップの下側に配置しているため小型化が図れるとともに、それらの移動調整が容易に行える。
【図面の簡単な説明】
【図１】本発明に係るピックアップのスキュー調整機構を備えたピックアップ移動機構を示す斜視図である。
【図２】図１の矢視Ａ図である。
【図３】本発明に係るピックアップのスキュー調整機構を備えたピックアップ移動機構を示す要部斜視図である。
【図４】図１の矢視Ｂ図である。
【図５】図３の矢視Ｃ図である。
【図６】本発明に係るピックアップのスキュー調整機構で送りねじを操作する例を示す説明図である。
【図７】本発明に係るスキュー調整機構でガイドシャフトを操作する例を示す説明図である。
【図８】本発明に係るピックアップのスキュー調整機構の第２、第３の調整ねじの作用を示す説明図である。
【図９】本発明に係るピックアップのスキュー調整機構の第２、第３の調整ねじの作用を示す説明図である。
【図１０】従来のピックアップ移動機構を示す斜視図である。
【図１１】従来のピックアップ移動機構を示す側面図である。
【図１２】従来のピックアップから記録媒体に光を照射する状態を示す説明図である。
【符号の説明】
１０　ピックアップ移動機構
１１　送りねじ
１２　ガイドシャフト
１５　ピックアップ
１６　ピックアップのスキュー調整機構
２２　駆動モータ
３０　記録媒体
【図１】
2004071018.tif 000003
【図２】
2004071018.tif 000004
【図３】
2004071018.tif 000005
【図４】
2004071018.tif 000006
【図５】
2004071018.tif 000007
【図６】
2004071018.tif 000008
【図７】
2004071018.tif 000009
【図８】
2004071018.tif 000010
【図９】
2004071018.tif 000011
【図１０】
2004071018.tif 000012
【図１１】
2004071018.tif 000013
【図１２】
2004071018.tif 000014